(57)【要約】      （修正有）【課題】米飯を収容した容器、各種惣菜等を収容した容器それぞれの組合せを可能にして陳列販売でき、上下で重ね合わせる容器それぞれを同構造の蓋体で施蓋する二段嵌合式食品容器を提供する。【解決手段】底壁２から開口部に至るに伴い外方に拡開する傾斜した側壁３を有し、開口部には下段蓋フランジ４を形成し、開口部の内側周縁には支持段部５を備えて成る下段容器１と、底壁１２から開口部に至るに伴い外方に拡開する傾斜した側壁１３を有し、開口部には上段蓋フランジ１４を形成すると共に、底部である底壁１２の外形は下段容器１の開口部の内形に対応し、支持段部５に係止される上段容器１１と、これらの下段容器１、上段容器１１の開口部それぞれを施蓋する同構造の共通する蓋体２０とから成る。下段容器１の支持段部５に係止して開口部に上段容器１１の底部を嵌り込ませたときに相互に嵌め合わせる小突部状の雌雄の凹凸部１０ａ，１０ｂによる嵌合手段１０を設ける。【選択図】図１
0003197139.tif 000002
【実用新案登録請求の範囲】
【請求項１】
底壁から開口部に至るに伴い次第に外方に拡開するよう傾斜した側壁を有し、開口部には下段蓋フランジが形成されていて、開口部の内側周縁には支持段部を備えて成る下段容器と、底壁から開口部に至るに伴い次第に外方に拡開するよう傾斜した側壁を有し、開口部には上段蓋フランジが形成されていると共に、底部である底壁の外形は下段容器の開口部の内形に対応し、支持段部に係止される上段容器と、これらの下段容器、上段容器の開口部それぞれに共通して施蓋される同構造の蓋体とから成ることを特徴とする二段嵌合式食品容器。
【請求項２】
下段容器の下段蓋フランジの外法幅員は、上段容器の上段蓋フランジの外法幅員と同一幅員に形成してあって、蓋体は下段容器、上段容器それぞれの開口部を共通して外側から嵌め合わせて覆い、施蓋できるようにしてある請求項１に記載の二段嵌合式食品容器。
【請求項３】
底壁から開口部に至るに伴い次第に外方に拡開するよう傾斜した側壁を有し、開口部には下段蓋フランジが形成されていて、開口部の内側周縁には支持段部を備えて成る下段容器と、底壁から開口部に至るに伴い次第に外方に拡開するよう傾斜した側壁を有し、開口部には上段蓋フランジが形成されていると共に、底部である底壁の外形は下段容器の開口部の内形に対応し、支持段部に係止される上段容器と、これらの下段容器、上段容器の開口部それぞれに共通して施蓋される同構造の蓋体とから成り、下段容器の下段蓋フランジの外法幅員は、上段容器の上段蓋フランジの外法幅員と同一幅員に形成してあって、蓋体は下段容器、上段容器それぞれの開口部を共通して外側から嵌め合わせて覆い、施蓋できるようにしたことを特徴とする二段嵌合式食品容器。
【請求項４】
下段容器の支持段部に係止して上段容器の底部を嵌り込ませたときの上段容器の底部外周縁と、下段容器の開口部内周縁との間で相互に嵌め合わせられるようにした小突部状の雌雄の凹凸部による嵌合手段を設けてある請求項１乃至３のいずれかに記載の二段嵌合式食品容器。
【請求項５】
下段蓋フランジの幅員は、上段容器の上段蓋フランジの幅員と、上段容器の傾斜した側壁における開口部と底部との幅員差とを合計した幅員に設定してある請求項１乃至４のいずれかに記載の二段嵌合式食品容器。
【請求項６】
下段容器の側壁、上段容器の側壁それぞれの傾斜角度は同一にしてあって、下段容器に上段容器を重ね合わせ、嵌め合わせたとき、上段容器の側壁と下段容器の側壁とは側方からみて一直線状に連続したテーパー状となしてあって、上段容器の開口部における幅員、上段容器の底部における外法幅員及び下段容器の開口部における内法幅員、下段容器の底部における幅員は順次に狭幅に形成してある請求項１乃至５のいずれかに記載の二段嵌合式食品容器。
【請求項７】
底壁から開口部に至るに伴い次第に外方に拡開するよう傾斜した側壁を有し、開口部には下段蓋フランジが形成されていて、開口部の内側周縁には支持段部を備えて成る下段容器と、底壁から開口部に至るに伴い次第に外方に拡開するよう傾斜した側壁を有し、開口部には上段蓋フランジが形成されていると共に、底部である底壁の外形は下段容器の開口部の内形に対応し、支持段部に係止される上段容器と、これらの下段容器、上段容器の開口部それぞれに共通して施蓋される同構造の施蓋される蓋体とから成り、
下段容器の下段蓋フランジの外法幅員は、上段容器の上段蓋フランジの外法幅員と同一幅員に形成してあって、蓋体は下段容器、上段容器それぞれの開口部を共通して外側から嵌め合わせて覆い、施蓋できるようにし、
下段容器の支持段部に係止して上段容器の底部を嵌り込ませたときの上段容器の底部外周縁と、下段容器の開口部内周縁との間で相互に嵌め合わせられるようにした小突部状の雌雄の凹凸部による嵌合手段を設けてあり、
下段蓋フランジの幅員は、上段容器の上段蓋フランジの幅員と、上段容器のテーパー状の側壁における開口部と底部との幅員差とを合計した幅員に設定し、
下段容器の側壁、上段容器の側壁それぞれの傾斜角度は同一にしてあって、下段容器に上段容器を重ね合わせ、嵌め合わせたとき、上段容器の側壁と下段容器の側壁とは側方からみて一直線状に連続したテーパー状となしてあって、上段容器の開口部における幅員、上段容器の底部における外法幅員及び下段容器の開口部における内法幅員、下段容器の底部における幅員は順次に狭幅に形成してある、
ことを特徴とする二段嵌合式食品容器。
【考案の詳細な説明】
【技術分野】
【０００１】
この考案は、例えばコンビニエンスストア、スーパーマーケット等の店舗にて販売される各種弁当において、所定の容器に収容した主食たる米飯、副食材たる各種惣菜を任意に組合せて購入できるようにするとき、これらの容器それぞれを共通した蓋体によって施蓋しておくことで、店舗における各別の陳列・販売の取り扱いを簡単にし、また購入後の容器を上下で組み合わせて、あるいは米飯・惣菜を収容した容器が上下で組み合わせられたものを購入して持ち運ぶ際に、それらの容器相互の確実な重ね合わせによって携帯も容易となる二段嵌合式食品容器に関する。
【背景技術】
【０００２】
従来、特に近時は調理済みの各種惣菜、炊きあげた米飯それぞれを組み合わせた弁当がコンビニエンスストアやスーパーマーケット等で販売される、いわゆる中食市場が注目されており、そのための陳列、販売、持ち運び等を考慮した各種の食品容器が提供されている。ただ、米飯・各種惣菜を一つの容器内に組み合わせ収容した弁当であると購買者による選択の範囲が狭まるばかりでなく、各人の好み、米飯量その他に対応できない場合がある。これを解消すべく、米飯を収容した米飯容器と、各種惣菜を収容した惣菜容器とを別個に用意し、それらの任意の組合せで購入できるようにしていても、これらの容器は例えば２段に積み重ねるときに簡単には固定できるようにはなっていなく、購入後に纏めて持ち運ぶには面倒であった。
【０００３】
こうしたことから、この種の重ねられるようにした容器を使用した食品容器・包装用容器等として、従来では例えば特許文献１にある包装用容器、特許文献２にある料理盛付容器、特許文献３にある弁当容器等が提案されている。特許文献１の包装用容器は、下側の容器本体における周縁フランジ部上に上側の容器本体を嵌合保持させ、上側の容器本体に被せた蓋の周縁を下側の容器本体の周囲に係合保持させるとする。特許文献２の料理盛付容器は、外容器の周壁内側に上段仕切り容器を係合させる段部を設け、上段下段仕切り容器には上段仕切り容器を支持可能な突起を設けて成る。特許文献３の弁当容器は、上下に重ねられる上容器、下容器それぞれに内嵌される防水性内容器等がそれぞれで重ね合わされるものとし、防水性内容器は上容器、下容器のいずれにも任意に組み合わせて内嵌可能として成る。
【先行技術文献】
【特許文献】
【０００４】
【特許文献１】特開平１０−２４５０５４号公報
【特許文献２】特開２００５−１１１０６５号公報
【特許文献３】登録実用新案第３０２８１９８号公報
【考案の概要】
【考案が解決しようとする課題】
【０００５】
ところが特許文献１の包装用容器によると、下側の容器本体上に重ね合わせて嵌合した上側の容器本体に被せた蓋を下側の容器本体に係合保持させるから、上側あるいは下側の容器本体のみで、それぞれに蓋を被せることでの単独使用は困難である。特許文献２の料理盛付容器によると、外容器内に重ね合わせた上段、下段の仕切り容器を収容した状態で蓋を被せて使用するから、これも特許文献１の包装容器と同様にそれぞれの容器での単独使用は困難であることに変わりはない。特許文献３の弁当容器は、防水性内容器を上容器あるいは下容器に任意的に組合せて上下で重ね合わせるものとするから、それぞれの単独での使用は考慮されていない。
【０００６】
すなわち、以上のような従来の容器類は、重ね合わせることが当初から予定されていても、組み合わせる容器それぞれが別個に使用されるようにはなっていない。そのため、例えばコンビニエンスストア、スーパーマーケット等で例えば主食である米飯、副食材である各種惣菜等を各別に収容して陳列しておき、購買者が選択した米飯と、同じく選択した各種惣菜とを適宜に組み合わせて購入し、それらを上下に重ね合わせることで弁当とする選択・組合せ的販売方式に採用するには適当ではない。
【０００７】
そこでこの考案は上述したような従来存した諸事情に鑑み案出されたもので、その目的は例えば主食である米飯、副食品である各種の惣菜等をそれぞれ別容器内に収容して陳列販売するとき、これらの容器それぞれの開口部は共通する蓋体によって施蓋可能にしておくことで、陳列販売に際しての購入は購入者の好みに合わせた組合せを任意にして多様なニーズに対応できるようにし、また注文によって種々な米飯を後から容器に入れて提供したり、米飯、各種惣菜が収容された容器が組み合わせられたものを提供したりする場合にあっても、これらの上下で組み合わせられた状態であるとき等の持ち帰り時にコンパクトに運び易くした二段式食品嵌合容器を提案することにある。
任意に選択・組み合わせて購入した各別の容器を上下で重ね合わせるとき、安定した状態で嵌め合わせることで持ち運びを容易にした二段嵌合式食品容器を提供することにある。
【課題を解決するための手段】
【０００８】
上述した課題を解決するため、この考案にあっては、後述する考案を実施するための形態における使用符号を付記して説明すると、底壁２から開口部に至るに伴い次第に外方に拡開するよう傾斜した側壁３を有し、開口部には下段蓋フランジ４が形成されていて、開口部の内側周縁には支持段部５を備えて成る下段容器１と、底壁１２から開口部に至るに伴い次第に外方に拡開するよう傾斜した側壁１３を有し、開口部には上段蓋フランジ１４が形成されていると共に、底部である底壁１２の外形は下段容器１の開口部の内形に対応し、支持段部５に係止される上段容器１１と、これらの下段容器１、上段容器１１の開口部それぞれに共通して施蓋される同構造の蓋体２０とから成ることを特徴とする。
下段容器１の下段蓋フランジ４の外法幅員は、上段容器１１の上段蓋フランジ１４の外法幅員と同一幅員に形成してあって、蓋体２０は下段容器１、上段容器１１それぞれの開口部を共通して外側から嵌め合わせて覆い、施蓋できるようにして構成することができる。
下段蓋フランジ４の幅員Ｗ１は、上段容器１１の上段蓋フランジ１４の幅員Ｗ２と、上段容器１１の傾斜した側壁１３における開口部と底部との幅員差Ｗ３とを合計した幅員に設定して構成することができる。
下段容器１の支持段部５に係止して上段容器１１の底部を嵌り込ませたときの上段容器１１の底部外周縁と、下段容器１の開口部内周縁との間で相互に嵌め合わせられるようにした小突部状の雌雄の凹凸部１０ａ，１０ｂによる嵌合手段１０を設けることで構成することができる。
下段容器１の側壁３、上段容器１１の側壁１３それぞれの傾斜角度は同一にしてあって、下段容器１に上段容器１１を重ね合わせ、嵌め合わせたとき、上段容器１１の側壁１３と下段容器１の側壁３とは側方からみて一直線状に連続したテーパー状となしてあって、上段容器１１の開口部における幅員、上段容器１１の底部における外法幅員及び下段容器１の開口部における内法幅員、下段容器１の底部における幅員は順次に狭幅に形成して構成することができる。
【０００９】
以上のように構成されたこの考案に係る二段嵌合式食品容器にあって、上下２段に重ね合わせられる下段容器１、上段容器１１それぞれに例えば米飯Ｒ、各種惣菜Ｓ等を各別に収容し、陳列販売することで、これらの購入者にその組合せの選択の幅を増大させ、例えば各種別の好みの弁当態様として購入者の様々なニーズに対応可能にさせる。また、嵌合式に重ね合わせ可能な下段容器１、上段容器１１であっても、これらの開口部は共通形状・構造の蓋体２０によって施蓋可能で、計３種の部材によることでこれらの部材管理を容易にさせる。
下段容器１の下段蓋フランジ４、上段容器１１の上段蓋フランジ１４それぞれの外形幅員は同一幅員であることで、これらの下段蓋フランジ４、上段蓋フランジ１４それぞれに外側から嵌められることで覆う蓋体２０は共通して使用可能で、少ない部材の組合せでパターンが異なる使用形態の選択を可能にさせる。
下段容器１における支持段部５は、この下段容器１に嵌め合わせ重ね合わせる上段容器１１を下段容器１の開口部で支持し、また下段容器１の開口部を覆う蓋体２０によって上段容器１１を載置支持し、上下２段に安定した状態で重ね合わせることで、容易に持ち運びさせる。
小突部状の雌雄の凹凸部１０ａ，１０ｂによる嵌合手段１０は、下段容器１の支持段部５に係止させることで嵌め込ませて重ね合わせた上段容器１１を下段容器１の開口部内にしっかりと結合させ、嵌め合わせ重ね時の安定性を一層増大させる。
下段容器１における傾斜している側壁３、上段容器１１における傾斜している側壁１３それぞれは重ね合わせ時で側方からみて連続した一直線のテーパー状で、その傾斜角度は同一としてあることで、下段容器１は上段容器１１内に収容可能となり、不使用時ではコンパクトに纏めさせる。
【考案の効果】
【００１０】
この考案は以上説明したように構成されているため、例えば主食たる米飯Ｒ、副食品たる各種惣菜Ｓそれぞれを下段容器１、上段容器１１に各別に収容して陳列販売でき、購入者がこれらを選択して適宜に組み合わせることで好みに応じた弁当構成となるよう重ね合わせる別容器とするとき、これらの下段容器１、上段容器１１それぞれの開口部を共通する蓋体２０によって施蓋できる。すなわち、１種類の蓋体２０によって、嵌め合わせ可能で上下に重ね合わせられるために開口構造が異なる下段容器１、上段容器１１それぞれを施蓋可能にする。また、下段容器１、上段容器１１それぞれに各種の米飯Ｒ、各種惣菜Ｓを収容して陳列することで、購入者による多様な選択を可能にし、購入者の好みに応じた多様なニーズに対応できる。また、注文によって種々な米飯Ｒを後から下段容器１に収容し、各種惣菜Ｓを収容した上段容器１１を上下で重ね合わせて提供する場合や、米飯Ｒ、各種惣菜Ｓが収容された下段容器１、上段容器１１が組み合わせられたもの弁当として提供する場合にあっても、これらの上下で組み合わせられた状態であるとき等の持ち帰り時にコンパクトで運び易いものとなる。しかも、下段容器１に、蓋体２０を介してあるいは介さずに直接に上段容器１１を重ね合わせることで２段に組み合わせた弁当構成容器とでき、しかも重ね合わせても荷崩れが生じにくく上下で安定しており、持ち運ぶ際に容易に携帯可能である。
【００１１】
すなわち、これはこの考案において、底壁２、外方に拡開する傾斜した側壁３、開口部の下段蓋フランジ４を有し、開口部の内側周縁に支持段部５を備えて成る下段容器１と、底壁１２、外方に拡開する傾斜した側壁１３、開口部の上段蓋フランジ１４を有し、底部の外形が下段容器１の支持段部５に係止される上段容器１１と、これらの下段容器１、上段容器１１の開口部それぞれに共通して施蓋される同構造の蓋体２０とから成るからである。これによって、互いに重ね合わせられるよう下段容器１、上段容器１１それぞれにおいての開口部構造が異なる開口部を共通する１種類の蓋体２０によって施蓋可能にし、それぞれの部材の組合せによる取り扱い等を容易にすることができる。しかも、蓋体２０によって施蓋されたあるいは施蓋されていない下段容器１に、上段容器１１を嵌め入れあるいは載置することで上下に重ねることができ、また、下段容器１あるいは上段容器１１内に収容する例えば米飯Ｒ、各種惣菜Ｓによる多様な組合せによる二段構成の弁当容器とすることができる。
【００１２】
また、下段容器１の側壁３、上段容器１１の側壁１３が傾斜状で、下段容器１の開口部の内法幅員が上段容器１１の開口部の内法幅員に比し小さくなっていても、下段容器１の下段蓋フランジ４自体の幅員Ｗ１は、上段容器１１の上段蓋フランジ１４の幅員Ｗ２と、上段容器１１の傾斜した側壁１３における開口部と底部との幅員差Ｗ３とを合計した幅員に設定してあることで、下段容器１の開口部の外法幅員は、上段容器１１の開口部の外法幅員とほぼ同一にすることができる。
【００１３】
これによって、下段容器１の下段蓋フランジ４、上段容器１１の上段蓋フランジ１４それぞれの外法幅員は同一幅員に形成されているから、蓋体２０は下段容器１、上段容器１１それぞれの開口部に共通して外側から嵌め合わせて覆うことができ、下段容器１、上段容器１１それぞれに対応した各別の異なる蓋部材を用意する必要がない。
【００１４】
しかも、上段容器１１の底部外周縁と、下段容器１の開口部内周縁との間で相互に嵌め合わせられる小突部状の雌雄の凹凸部１０ａ，１０ｂによる嵌合手段１０を設けてあるから、下段容器１の開口部に上段容器１１の底部を嵌り込ませたときに、下段容器１の支持段部５上に上段容器１１を支持させていることと相俟ち、下段容器１上で上段容器１１をしっかりと嵌め合わせて支持できる。更には、重ね合わせた状態では外部からの衝撃、重ね合わせたときの傾き等によっても嵌め合い状態が外れることがなく、例えばレジ袋内に収納して持ち運ぶ際にも荷崩れが生ぜず、安心して携帯することができる。
【００１５】
また、下段容器１の側壁３、上段容器１１の側壁１３それぞれの傾斜角度は同一で、上下で重ね合わせたとき、側方からみて一直線状に連続したテーパー状となり、上段容器１１の開口部における幅員、上段容器１１の底部における外法幅員及び下段容器１の開口部における内法幅員、下段容器１の底部における幅員は順次に狭幅に形成してから、不使用時においては下段容器１内に上段容器１１を収納でき、コンパクトに纏めることができる利点もある。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示す分解斜視図である。
【図２】同じく重ね合わせたときの正断面図である。
【図３】同じく下段容器を施蓋したときの正断面図である。
【図４】同じく重ね合わせたときの重ね合わせ部分の嵌合構造、蒸気抜き溝構造それぞれを説明する要部平断面図である。
【図５】同じく下段蓋フランジと上段蓋フランジとのそれぞれの幅員の関係を説明する重ね合わせた状態における要部平面図である。
【図６】同じく重ね合わせ、結束具によって封緘したときの斜視図である。
【考案を実施するための形態】
【００１８】
以下、図面を参照してこの考案を実施するための一形態を説明すると、図において示される符号１は上下に重ねられるときの下段に位置する下段容器であり、この下段容器１は例えば弁当容器として使用されるときの主食である１食分の例えば米飯Ｒの所定量を収容可能な程度の容積を備えた所定深さを有する例えば平面矩形状に形成されている。
【００１９】
下段容器１自体は、底壁２から開口部に至るに伴い次第に外方に拡開するよう傾斜した側壁３を有し、開口部には下段容器１自体の補強を兼ねた下段蓋フランジ４が形成されていて、開口部の内側周縁には、後述する上段容器１１を内嵌合式に嵌め合わせて支持する支持段部５を備えて成る。側壁３には上下方向に沿って溝状を呈する複数本の補強溝が適宜に配設されている。なお、図示にあっての下段容器１の底壁２の周縁には、下方に突出するようにした所定の浅底状の補強部９が形成されている。
【００２０】
なお、図中符号８は下段容器１の開口部の内周縁である支持段部５の上方側部に狭幅溝状に形成された蒸気抜き溝である。後述するように、下段容器１の支持段部５上に上段容器１１が係止され、嵌め入れられて重ね合わせられたとき、上段容器１１の底部との間に溝状の隙間を形成するもので、下段容器１に上段容器１１が嵌め入れられ、重ね合わせた状態で例えば電子レンジ機器で加熱されたときに、下段容器１内部に充満した蒸気を外部に案内放出させるようにしている（図４参照）。
【００２１】
このような下段容器１に重ね合わせ可能にした上段容器１１が別に設けられており、この上段容器１１は、副食品である例えば各種惣菜Ｓの所定量を収容可能にする容積を備えた所定深さを有する例えば平面矩形状に形成され、これの底部が上段容器１の開口部に形成されている支持段部５に係止されることで載置支持された状態で下段容器１に嵌め合わせられるようになっている。
【００２２】
上段容器１１自体は、下段容器１と同様に、底壁１２から開口部に至るに伴い次第に外方に拡開するよう傾斜した側壁１３を有し、開口部には上段容器１１自体の補強を兼ねた上段蓋フランジ１４が形成されて成る。底壁１２の周縁には、下方に突出するようにした所定の浅底状の補強部１９が設けられており、また、側壁１３には上下方向に沿って溝形状を呈する複数本の補強溝が適宜に設けられている。
【００２３】
上段容器１１の底部である底壁１２の外形は、下段容器１の開口部の内形に対応しており、上段容器１１の底部が下段容器１の開口部にしっくりと嵌り込むようにしてある。また、図４に示されるように、この嵌り込ませたときの上段容器１１の底部外周縁と、下段容器１の開口部内周縁との間で相互に嵌め合わせられる雌雄の凹凸部１０ａ，１０ｂによる嵌合手段１０が設けられている。図示にあっては、曲面状を呈する小突部状で、上段容器１１、下段容器１それぞれの凹凸部１０ａ，１０ｂは共に外側方に出張るように形成されているも、これが内側方に窪むように形成されていても良い。
【００２４】
また、下段容器１に上段容器１１を重ね合わせ、嵌め合わせたとき、上段容器１１の側壁１３と下段容器１の側壁３とは、図２に示すように側方からみて、その傾斜角度は同一としてあって、あたかも一直線状に連続したテーパー状となる態様となしてある。すなわち、上段容器１１の開口部における幅員、上段容器１１の底部における外法幅員及び下段容器１の開口部における内法幅員、下段容器１の底部における幅員は順次に狭幅となっている。こうすることで、上段容器１１内に下段容器１をすっぽりと収納し納めることができ、米飯Ｒ、各種惣菜Ｓ等の収容前の未使用時あるいは不使用時ではコンパクトに纏めることができる。
【００２５】
なお、図５に示すように、下段容器１における開口部に形成されている下段蓋フランジ４の外法幅員は、上段容器１１における開口部に形成されている上段蓋フランジ１４の外法幅員と同一幅員となしてあり、下段蓋フランジ４自体の幅員Ｗ１は、上段蓋フランジ１４自体の幅員Ｗ２に比し広幅に形成されている。すなわち、下段蓋フランジ４の幅員Ｗ１は、上段容器１１の上段蓋フランジ１４の幅員Ｗ２と、上段容器１１のテーパー状の側壁１３における開口部と底部との幅員差Ｗ３とを合計した幅員に設定されることで、下段蓋フランジ４、上段蓋フランジ１４それぞれの外法幅員を同一とすることができる。
【００２６】
これらの下段容器１、上段容器１１それぞれは、同一構造・形状の共通した蓋体２０によって施蓋されるようにしてある。この蓋体２０は、下段容器１、上段容器１１それぞれの開口部である下段蓋フランジ４、上段蓋フランジ１４それぞれの外周縁に対応した内周縁を備えることで、下段容器１、上段容器１１の開口部を覆うように外側から嵌め合わせられる逆浅底のドーム状に形成されて成る。
【００２７】
この蓋体２０は、上記したように、下段容器１の下段蓋フランジ４の外形、上段容器１１の上段蓋フランジ１４の外形それぞれの幅員が同一に形成されていることで、下段容器１、上段容器１１それぞれに共通して使用できる。そのため、例えば米飯Ｒが収容されている下段容器１、各種惣菜Ｓが収容されている上段容器１１それぞれを施蓋でき、また下段容器１に上段容器１１を嵌め込み、重ね合わせたときには上段容器１１の開口部のみを施蓋するよう使用すればよいものとしてある。
【００２８】
蓋体２０の上壁には、上段容器１１の底部を嵌め合わせるよう、底部を嵌め入れて囲繞するようにした底部嵌合部２１を周囲に膨出状にして形成してある。こうすることで、図示を省略したが、下段容器１の開口部に施蓋した蓋体２０上に上段容器１１を載置したときの位置ズレを防止でき、安定した重ね合わせ状態を実現させる。
【００２９】
また、図６に示すように、下段容器１、上段容器１１を重ね合わせ、上段容器１１を蓋体２０によって施蓋したときの上下方向で固定するよう例えば合成樹脂フィルム製の幅広テープ状の結束具２５によって下段容器１、上段容器１１、蓋体２０を巻回するとよい。このような巻回固定する際の結束具２５の位置ズレを防止すべくした位置決め挿通部２２を蓋体２０の上壁の対称位置に形成してあり、この位置決め挿通部２２は、下段容器１、上段容器１１の底部の補強部９，１９に窪み状に形成してある挿通部分と、上下方向でこれらの位置がほぼ一致するようにしてある。
【００３０】
なお、下段容器１に上段容器１１を重ね合わせるとき、下段容器１の開口部を蓋体２０によって施蓋することで上段容器１１を載置するも、下段容器１を蓋体２０によって施蓋することなく、上段容器１１を直接に下段容器１の支持段部５に支持させることで重ね合わせるも良く、いずれも任意である。
【００３１】
なお、図示例における下段容器１、上段容器１１等は、平面で矩形状を呈するものとして構成され、説明されたが、平面で円形状、あるいは六角形状、八角形状その他の多角形状を呈するものとして構成することも可能である。
【００３２】
次にこれらの下段容器１、上段容器１１、蓋体２０の組合せによる使用の一例を説明すると、例えば下段容器１内には主として各種の米飯Ｒが、上段容器１１内には副食品である各種惣菜Ｓがそれぞれ収容され、また下段容器１、上段容器１１それぞれに共通する同構造の蓋体２０によって施蓋された状態で例えばコンビニエンスストア、スーパーマーケットその他で陳列、販売され、これらを購入するとき、例えば任意の組合せによる購入を可能とする。例えば、おこわ、混ぜご飯等の種別、収容量の多寡による米飯Ｒとし、同様にサラダ、和洋惣菜等の種別、収容量の多寡による各種の惣菜として用意しておけば良く、購入者をしてその選択・組合せを拡大させ、多様なニーズに対応可能にする。
【００３３】
しかも、購入する顧客の個別注文に応じて種々な米飯Ｒを下段容器１に収容し、これに各種惣菜Ｓが収容されている上段容器１１を重ね合わせることで組み合わせられる様々な一つの弁当として提供販売しても良く、更には米飯Ｒを収容した下段容器１、各種惣菜Ｓを収容した上段容器１１を上下で予め各種に組み合わせて様々な弁当態様として提供販売しても良い。
【００３４】
また、購入後、施蓋されていない下段容器１の開口部に上段容器１１を嵌め入れ重ね合わせるも、あるいは蓋体２０によって施蓋された下段容器１上に上段容器１１を載置して重ね合わせるも良く、重ね合わせた状態では上下方向で位置ズレを生じることなく安定したものとなることで、例えばいわゆるレジ袋内に収容して持ち運ぶにしても、倒れることが少なく、容易に携帯できる。もとより、結束具２５によって上下方向で結束することによって一層安定したものとすることができる。
【符号の説明】
【００３５】
Ｒ…米飯                                Ｓ…各種惣菜
Ｗ１…下段蓋フランジの幅員              Ｗ２…上段蓋フランジの幅員
Ｗ３…上段容器の側壁における開口部と底部との幅員差
１…下段容器                            ２…底壁
３…側壁                                ４…下段蓋フランジ
５…支持段部                            ９…補強部
１０…嵌合手段                          １０ａ，１０ｂ…凹凸部
１１…上段容器                          １２…底壁
１３…側壁                              １４…上段蓋フランジ
１９…補強部
２０…蓋体                              ２１…底部嵌合部
２２…位置決め挿通部
２５…結束具
【図１】
0003197139.tif 000003
【図２】
0003197139.tif 000004
【図３】
0003197139.tif 000005
【図４】
0003197139.tif 000006
【図５】
0003197139.tif 000007
【図６】
0003197139.tif 000008